(57)【要約】【課題】燃料電池モジュールの受圧組み立て構造の提供。【解決手段】燃料電池モジュール１、第一受圧端板２、第一電極集電板２６、第二受圧端板４、第二電極集電板４９、施圧構造５を備え、燃料電池モジュール１は、第一電極側１１、第二電極側１２、少なくとも１個の電池セル１３を備え、第一受圧端板２は、第一端板２０及び第一電極集電板２６により燃料電池モジュール１の第一電極側１１に連結し、第二受圧端板４は、第二端板４０及び第二電極集電板４９により燃料電池モジュール１の第二電極側１２に連結し、施圧構造５は、施圧板５１と一対の側板５２、５３により組成し、２枚の側板５２、５３間には開放端５４を形成し、施圧板５１は、第二受圧端板４の板面４１を圧迫して制御し、開放端５４は、第一端板２０の両側に位置し、定位構造により、第一端板２０の結合部２１において連結する。【選択図】図３
2009200045.tif 000002
【特許請求の範囲】
【請求項１】
燃料電池モジュール、第一受圧端板、第一電極集電板、第二受圧端板、第二電極集電板、施圧構造を備え、
前記燃料電池モジュールは、第一電極側、第二電極側、及び少なくとも１個の電池セルを備え、
前記第一受圧端板は、第一端板、結合部を備え、前記燃料電池モジュールの第一電極側と相互に連結し、
前記第一電極集電板は、前記第一端板と前記燃料電池モジュールの第一電極側との間に位置し、
前記第二受圧端板は、第二端板を備え、前記燃料電池モジュールの第二電極側と相互に連結し、
前記第二電極集電板は、前記第二端板と前記燃料電池モジュールの第二電極側との間に位置し、
前記施圧構造は、施圧板と一対の側板により組成し、前記２枚の側板間には開放端を形成し、前記側板端部には定位構造を設置し、
前記燃料電池モジュール、前記第一受圧端板、前記第一電極集電板、前記第二受圧端板、前記第二電極集電板、前記施圧構造を組み立て後、前記施圧構造の施圧板は、前記第二受圧端板の第二端板面を圧迫して制御し、前記開放端は、前記第一端板の両側に位置し、前記定位構造により、前記第一端板の結合部において連結することを特徴とする燃料電池モジュールの受圧組み立て構造。
【請求項２】
前記第一受圧端板の第一端板と前記結合部との間には、受圧構造を設置することを特徴とする請求項１に記載の燃料電池モジュールの受圧組み立て構造。
【請求項３】
前記第二受圧端板の第二端板と前記施圧構造との間には、受圧構造を設置することを特徴とする請求項１に記載の燃料電池モジュールの受圧組み立て構造。
【請求項４】
前記受圧構造は、少なくとも１個の弾性部品により組成することを特徴とする請求項２或いは３に記載の燃料電池モジュールの受圧組み立て構造。
【請求項５】
前記受圧構造は、受圧板と少なくとも１個の弾性部品により組成し、前記受圧板には、少なくとも１個の受圧孔を開設し、これに前記弾性部品を嵌設することを特徴とする請求項２或いは３に記載の燃料電池モジュールの受圧組み立て構造。
【請求項６】
前記施圧構造の側板には、中空区を開設し、これを前記第一電極集電板と前記第二電極集電板の突出端は、突出することを特徴とする請求項１に記載の燃料電池モジュールの受圧組み立て構造。
【請求項７】
前記施圧構造の２枚側板の端部は、突っ張り板を延伸することを特徴とする請求項１に記載の燃料電池モジュールの受圧組み立て構造。
【請求項８】
前記施圧構造の２枚側板の端部には、固定台を結合することを特徴とする請求項１に記載の燃料電池モジュールの受圧組み立て構造。
【請求項９】
前記施圧構造の２枚側板の突っ張り板、或いは固定台上には、定位構造を設置することを特徴とする請求項６或いは７に記載の燃料電池モジュールの受圧組み立て構造。
【請求項１０】
前記第一受圧端板と前記第二受圧端板との間には、一対の定位柱を結合することを特徴とする請求項１に記載の燃料電池モジュールの受圧組み立て構造。
【請求項１１】
前記施圧構造の定位構造は、少なくとも１個の連接部品により連結することを特徴とする請求項１に記載の燃料電池モジュールの受圧組み立て構造。
【請求項１２】
前記施圧構造の定位構造上には、保護蓋体を設置することを特徴とする請求項１に記載の燃料電池モジュールの受圧組み立て構造。
【請求項１３】
前記施圧構造の施圧板上には、少なくとも１個の弾性部品を設置することを特徴とする請求項１に記載の燃料電池モジュールの受圧組み立て構造。
【請求項１４】
燃料電池モジュール、第一受圧端板、第二受圧端板、施圧構造を備え、
前記燃料電池モジュールは、第一電極側、第二電極側、及び少なくとも１個の電池セルを備え、
前記第一受圧端板は、第一端板、結合部を備え、前記燃料電池モジュールの第一電極側と相互に連結し、
前記第一電極集電板は、前記第一端板と前記燃料電池モジュールの第一電極側との間に位置し、
前記第二受圧端板は、第二端板を備え、前記燃料電池モジュールの第二電極側と相互に連結し、
前記第二電極集電板は、前記第二端板と前記燃料電池モジュールの第二電極側との間に位置し、
前記施圧構造は、一対の側板により組成し、前記側板両端に近い位置には、前記第一端板の結合部と前記第二端板の連接部に対応する定位構造それぞれ設置し、
前記燃料電池モジュール、前記第一受圧端板、前記第一電極集電板、前記第二受圧端板、前記第二電極集電板、前記施圧構造を組み立て後、前記施圧構造の定位構造は、前記第一端板の結合部と前記第二端板の連接部に連結することを特徴とする燃料電池モジュールの受圧組み立て構造。
【請求項１５】
前記第一受圧端板の第一端板と前記結合部との間には、受圧構造を設置することを特徴とする請求項１４に記載の燃料電池モジュールの受圧組み立て構造。
【請求項１６】
前記受圧構造は、少なくとも１個の弾性部品により組成することを特徴とする請求項１５に記載の燃料電池モジュールの受圧組み立て構造。
【請求項１７】
前記受圧構造は、受圧板と少なくとも１個の弾性部品により組成し、前記受圧板には、少なくとも１個の受圧孔を開設し、これに前記弾性部品を嵌設することを特徴とする請求項１５に記載の燃料電池モジュールの受圧組み立て構造。
【請求項１８】
前記施圧構造の側板には、中空区を開設し、これを前記第一電極集電板と前記第二電極集電板の突出端は、突出することを特徴とする請求項１４に記載の燃料電池モジュールの受圧組み立て構造。
【請求項１９】
前記施圧構造の側板の端部は、突っ張り板あるいは固定台を延伸することを特徴とする請求項１４に記載の燃料電池モジュールの受圧組み立て構造。
【請求項２０】
前記施圧構造の定位構造は、少なくとも１個の連接部品により連結することを特徴とする請求項１４に記載の燃料電池モジュールの受圧組み立て構造。
【発明の詳細な説明】
【技術分野】
【０００１】
本発明は電池組み合わせ構造の設計に関し、特に燃料電池モジュールの受圧組み立て構造に関する。
【背景技術】
【０００２】
燃料電池(Fuel Cell)は、水素を含む燃料と空気とに、電気化学反応を起こさせ、これにより電気エネルギーと水とを発生する装置である。燃料電池の作動原理を、陽イオン交換膜燃料電池を例とし、以下に説明する。該燃料電池は、多数の電池セルを含み、該各セルの中央には陽子交換膜(Proton Exchange Membrane、PEM)を設置し、両側にはそれぞれ触媒を設置する。さらに、その外側にはそれぞれ気体拡散層（Gas Diffusion Layer、GDL）を設置し、最も外側にはそれぞれ陽極双極板と陰極双極板を設置する。これら構成部品は、予定の接触圧力で緊密に一体に結合し、電池セルを構成する。
【０００３】
燃料電池が電気化学反応を行い、その化学エネルギーを電気エネルギーに転換する時には、接触抵抗が上昇して燃料電池の転換効率に悪影響を及ぼすことがないよう、電池ユニットの圧力を一定の範囲内に保持しなければならない。
【０００４】
一方、燃料電池を実際に応用する時には、十分な電力を確保するため、通常は多数の電池セルをスタッキングし、電池ユニットを構成する。該電池ユニットは、該電池ユニットの縦方向相対端に設置する２枚の端板と、該２枚の端板周縁を貫通する複数の連結棒により、該２枚の端板間において固定される。
【０００５】
特許文献１では、電気化学燃料電池ユニットの圧縮ベルト構造を掲示している。該燃料電池ユニット中の複数の電池セルは、一対の端板ユニットにより挟まれて設置される。該一対の端板ユニットは、第一端板と第二端板により組成し、該燃料電池ユニットの電池セルは、陽極層と陰極層を備える。
【０００６】
該端板ユニットはさらに、少なくとも１個の弾性圧縮部品を備え、細長い圧縮ベルトにより、一方向に巻き付け、これにより該第一端板は、該燃料電池ユニットにおいて、該第二端板の方向へと圧縮力を発生する。こうして該燃料電池ユニット中の各電池セルを堅固に固定する。
【０００７】
上記設計は組み合わせには有利だが、以下のような欠点が存在する。
先ず、燃料電池ユニットの各関連構成部品を組み合わせる時、各電池セル間の接触圧力が過大であれば、電池セルは変形、反り返り、さらには構造が損壊する等の状況さえ発生し得る。特に、燃料電池ユニットに不適当、或いは不均一な接触圧力が加わると、電池セルの性能に影響を及ぼす。しかしながら、接触圧力が十分でなければ、燃料電池ユニットの結合度は低くなり、漏水や漏気を招くだけでなく、燃料電池ユニットの層と層との間の接触電気抵抗が大きくなり、結果として燃料電池ユニットの性能を低下させてしまう。
【０００８】
さらに、燃料電池ユニット中の電池セルは、機械強度面での耐圧性能が比較的弱いため、燃料電池ユニット組み合わせ作業の完成後は、各関連構成部品をスタッキングしてはいても、実際に応用する段階では、保護フレーム或いは保護ケースのようなカバー防護構造を別に設計しなければならない。さもなければ、該燃料電池ユニットは、外界の物体に衝突され損壊し、或いは湾曲変形してしまう等のリスクが存在する。本発明は、従来の燃料電池モジュールの組み立て構造の上記した欠点に鑑みてなされたものである。
【先行技術文献】
【特許文献】
【０００９】
【特許文献１】米国特許第5,993,987号
【発明の概要】
【発明が解決しようとする課題】
【００１０】
本発明が解決しようとする第一の課題は、燃料電池ユニットの各関連構成部品に対して、一定程度の防護を提供し、メンテナンスと組み立てを簡素化することができる燃料電池モジュールの受圧組み立て構造を提供することである。
本発明が解決しようとする第二の課題は、燃料電池ユニットの各電池セル間の接触圧力を最適にすることができる燃料電池モジュールの受圧組み立て構造を提供することである。
本発明が解決しようとする第三の課題は、燃料電池モジュール内の各電池セルと端板との間の接触圧力を調整することができ、これによりよりフレキシブルな運用を実現可能な燃料電池モジュールの受圧組み立て構造を提供することである。
【課題を解決するための手段】
【００１１】
上記課題を解決するため、本発明は下記の燃料電池モジュールの受圧組み立て構造を提供する。
燃料電池モジュールの受圧組み立て構造は、燃料電池モジュール、第一受圧端板、第一電極集電板、第二受圧端板、第二電極集電板、施圧構造を備え、
該燃料電池モジュールは、第一電極側、第二電極側、少なくとも１個の電池セルを備え、
該第一受圧端板は、第一端板及び第一電極集電板により、該燃料電池モジュールの第一電極側に連結し、
該第二受圧端板は、第二端板及び第二電極集電板により、該燃料電池モジュールの第二電極側に連結し、
該施圧構造は、施圧板、及びその側縁に垂直に延伸する一対の側板により組成し、該２枚の側板間には開放端を形成し、
該燃料電池モジュール、該第一受圧端板、該第一電極集電板、該第二受圧端板、該第二電極集電板、該施圧構造を組み立て後、該施圧構造の施圧板は、該第二受圧端板の第二端板面を圧迫して制御し、その開放端は、該第一端板の両側に位置し、定位構造により、該第一端板の結合部において連結する。
該第一端板と該結合部との間に挟まれ設置される受圧構造が、該第一受圧端板を経て、第二受圧端板方向へと圧力を燃料電池モジュールに加え、こうして燃料電池モジュール中の各電池セルが必要とする接触圧力を提供することができる。
【発明の効果】
【００１２】
本発明は、組み立て構造をモジュール化し、燃料電池モジュールの組み立て効率を向上させることができる。すなわち、本発明の組み立て構造に異常、或いは損壊が発生した時には、問題が起きた電池セルだけを交換すれば良い。このような場合、従来の構造では、燃料電池モジュール全体を交換しなければならないため、コストを拡大させてしまうという欠点があった。
また、本発明は、開放端を備える施圧構造だけを使用し、組み立て構造内部に設置する複数の弾性部品を対応させるだけで、燃料電池モジュールに必要とする圧力を提供することができる。しかも、この設計は、均等な圧力を提供することができ、燃料電池モジュールの各電池セル間に適当な接触圧力を維持させることができる。従来の技術では、接触圧力が不十分であるため、燃料電池ユニットの結合度が不良で、これにより漏水、漏気を招き、或いは燃料電池ユニットの層と層との間の接触電気抵抗を増大させてしまい、或いは圧力が過大であるため、電池セルの変形、反り返り、湾曲、さらには構造の損壊等の状況を発生させ、燃料電池の性能を低下させてしまっていた。さらに、従来の技術が採用する連結棒の方式は、組み立てにおける問題を悪化させていた。
さらに、燃料電池ユニットの両極側に結合する第一受圧端板と第二受圧端板には、冷却水進出口と水素ガス進出口を設置するため、反応接触面積を増大させることができ、燃料電離モジュールの導電度と滲透率を向上させ、燃料電池の性能を効果的に高めることができる。
また、施圧構造は、燃料電池モジュールの各関連構造を保護することができるため、燃料電池の各関連構造に対して一定の程度の防護を提供可能で、外界の物体に衝突され、燃料電池モジュールが損壊、或いは湾曲変形し、或いは脱落してしまう等の現象を回避することができる。
【図面の簡単な説明】
【００１３】
【図１】本発明第一実施例の分解図である。
【図２】本名発明の部分構造の分解図である。
【図３】本発明第一実施例の立体図である。
【図４】本発明第一実施例の別の角度からの立体図である。
【図５】本発明第二実施例の分解図である。
【図６】本発明第三実施例の分解図である。
【図７】本発明第三実施例の底面図である。
【図８】本発明第四実施例の分解図である。
【図９】本発明第四実施例の立体図である。
【図１０】本発明第五実施例の分解図である。
【図１１】本発明第六実施例の分解図である。
【図１２】本発明第六実施例の立体図である。
【発明を実施するための形態】
【００１４】
以下に図面を参照しながら本発明を実施するための最良の形態について詳細に説明する。
本発明第一実施例の分解図である図１に示すように、本発明の燃料電池モジュールの受圧組み立て構造１００は、燃料電池モジュール１を備える。燃料電池モジュール１は、第一電極側１１と第二電極側１２、少なくとも１個の電池セル１３により組成する。
【００１５】
燃料電池モジュール１の第一電極側１１は、第一受圧端板２を連結し、第一電極集電板２６は、ちょうどその間に位置する。
第一受圧端板２は第一端板２０と結合部２１を備える。結合部２１の両側には、それぞれ孔２１１、２１２を設置する。
【００１６】
第一受圧端板２の第一端板２０と結合部２１との間には、受圧構造３を設置する（図２参照）。受圧構造３は、受圧板３１と複数の弾性部品３２により組成する。受圧板３１には、各弾性部品３２に対応する複数の受圧孔３３を開設し、各弾性部品３２を嵌設する。本実施例において、弾性部品３２は円盤型のバネであるが、予定弾性機能を備える弾性ブロック、バネ、ピストン、高分子或いは繊維強化複合材料、或いは他の化学重合物等他の弾性部品を採用することもでき、設計上の差異に応じて決定する。
【００１７】
本発明第一実施例の立体図、及び異なる角度からの立体図である図３、及び図４に示すように、第一受圧端板２の第一端板２０は、さらに第一側面２２と第二側面２３を備える。第一側面２２と第二側面２３上には、相互に対応する冷却水進出口２４a、２４bと水素ガス進出口２５a、２５bをそれぞれ設置する。
【００１８】
燃料電池モジュール１の第二電極側１２は、第二受圧端板４を連結し、第二電極集電板４９は、ちょうどその間に位置する。第二受圧端板４は第二端板４０を備える。第二端板４０は、第二端板面４１、第一側面４２、第二側面４３、第三側面４４、第四側面４５を含む。第二端板面４１は、複数の定位槽４１１を備える。第一側面４２と第二側面４３には、相互に対応する冷却水進出口４６a、４６bと水素ガス進出口４７a、４７bをそれぞれ設置する。第三側面４４と第四側面４５には、それぞれ空気進出口４８a、４８bを設置する。
【００１９】
上記構造を組み立てる時には、施圧構造５により、燃料電池モジュール１、第一受圧端板２、第一電極集電板２６、受圧構造３、第二受圧端板４、第二電極集電板４９を組み合わせて固定する。本実施例において、施圧構造５は、施圧板５１、及び施圧板５１の側縁から垂直に延伸する一対の側板５２、５３により組成する。２枚の側板５２、５３の間には、開放端５４を形成し、開放端５４に近い位置には、第一端板２０の結合部２１に対応する定位構造５２１、５３１を設置する。定位構造５２１、５３１は、結合孔とすることができる。
【００２０】
図１に示すように、施圧板５１は、複数の定位槽５１１を備え、第二端板面４１の定位槽４１１に対応して定位する。側板５２の中央位置には、中空区５２２を開設し、第一電極集電板２６と第二電極集電板４９の突出端２６１、４９１は、中空区５２２からそれぞれ突出する。さらに、２枚の側板５２、５３には、冷却水進出口２４a、２４b、４６a、４６bに対応する複数の導入孔５２３、５３２、５２４、５３３、及び水素ガス進出口２５a、２５bに対応する複数の導入孔５２５、５３４、５２６、５３５をそれぞれ開設する。
【００２１】
燃料電池モジュール１、第一受圧端板２、第一電極集電板２６、受圧構造３、第二受圧端板４、第二電極集電板４９、施圧構造５は、ジグにより組み立て(図３、図４参照)後、施圧構造５の施圧板５１は、第二受圧端板４の第二端板面４１上において施圧し、第一電極集電板２６と第二電極集電板４９の突出端２６１、４９１は、側板５２の中空区５２２からそれぞれ突出する。さらに、複数の連接部品６により、側板５２、５３の定位構造５２１、５３１を通過し、第一受圧端板２の結合部２１の孔２１１、２１２に対応して連結する。
【００２２】
このようにして、受圧構造３は、第一受圧端板２の第一端板２０と結合部２１との間に挟まれ設置される。これにより、受圧構造３は、第一受圧端板２を経て、第二受圧端板４方向への圧力を、燃料電池モジュール１に加え、こうして各電池セル１３に必要な接触圧力を提供することができる。
【００２３】
本発明第二実施例の分解図である図５に示すように、本実施例の燃料電池モジュールの受圧組み立て構造１００aにおける、構成部品の大部分は、第一実施例と相同である。よって、相同の部品には相同の符合を付す。第一実施例と第二実施例との差異は、定位構造５２１、５３１の端縁に近い位置において、施圧構造５の側板５２、５３が突っ張り板５５、５６をそれぞれ突出する点である。これにより、本発明の各部品の組み立て完成時には、第一受圧端板２の結合部２１は、施圧構造５の側板５２、５３の突っ張り板５５、５６位置に、ちょうど圧迫され、本発明燃料電池モジュールの組み立て強度は向上する。本第二実施例の組み立て方式と過程は、前記第一実施例と相同であるため、ここでは記述しない。また、本発明は定位構造５２１、５３１を、突っ張り板５５、５６上に設置するように改変することもできる。これによっても同様に、第一受圧端板２の結合部２１の孔２１１、２１２と相互に対応させ、連接部品６により連結することができる。
【００２４】
本発明第三実施例の分解図、及び底面図である図６、及び図７に示すように、本実施例の燃料電池モジュールの受圧組み立て構造１００bにおける、構成部品の大部分は、第二実施例と相同である。よって、相同の部品には相同の符合を付す。第二実施例と第三実施例との差異は、２枚の側板５２、５３の端縁に近い位置において、施圧構造５はそれぞれ固定台５７、５８をそれぞれ結合する点である。固定台５７、５８には、定位構造５２１、５３１とリブ５７１、５８１を設置し、しかも第一受圧端板２と第二受圧端板４との間には、一対の定位柱７、７aを結合する。
【００２５】
燃料電池モジュール１、第一受圧端板２、第一電極集電板２６、受圧構造３、第二受圧端板４、第二電極集電板４９、施圧構造５、定位柱７、７aは、ジグにより組み立て後、複数の連接部品６により、固定台５７、５８の定位構造５２１、５３１を通過し、第一受圧端板２の結合部２１aに対応して連結する。このようにして、弾性部品３２は、第一受圧端板２の第一端板２０と結合部２１aとの間に挟まれ設置される。これにより、弾性部品３２は、第一受圧端板２を経て、第二受圧端板４方向への圧力を、燃料電池モジュール１に加え、連接部品６aが定位構造５２１、５３１へ穿通する深度を調整することで、各電池セル１３と２枚の端板２０、４０との間の接触圧力を調整することができる。本実施例の施圧構造５は、図５に示す突っ張り板の構造とすることもできる。
【００２６】
図に示すように、２枚の側板５２、５３の端縁位置に結合する固定台５７、５８上には、保護蓋体８、８aをそれぞれ設置し、定位構造５２１、５３１に固定する連接部品６aを保護する。
【００２７】
本発明第四実施例の分解図、及び立体図である図８、及び図９に示すように、本実施例の燃料電池モジュールの受圧組み立て構造１００cにおける、構成部品の大部分は、第一実施例と相同である。よって、相同の部品には相同の符合を付す。第一実施例と第四実施例との差異は、受圧構造３aを、施圧構造５aと第二受圧端板４との間に設置する点である。施圧構造５aの定位構造５２１aと５３１aは、嵌合槽状を呈し、しかも第一端板２０の結合部２１が突出する係合フック２１１a、２１２aに嵌合することができる。側板５２a、５３aの導入孔５２４a、５２６a、５３３a、５３５aは、冷却水進出口４６a、４６b及び水素ガス進出口４７a、４７bに対応する適当な位置に設置する。また、第一端板２０と結合部２１は、一体成型とし、弾性部品３２aと施圧板５１aを相互に結合させ、受圧板３１aの構成部品を省略することができる。
【００２８】
本第四実施例の組み立て方式と過程は、前記第一実施例と相同であるため、ここでは記述しない。該領域に関する知識を有するものは、容易に理解可能であるが、施圧構造５aと本発明の各構造の組み立て完成時には、受圧構造３aは、施圧構造５aと第二受圧端板４との間に挟まれ設置される。これにより、受圧構造３aは、第二受圧端板４より、第一受圧端板２方向への圧力を、燃料電池モジュール１に加え、こうして各電池セル１３に必要な接触圧力を提供することができる。
【００２９】
さらに、本発明第五実施例の分解図である図１０に示すように、本実施例の燃料電池モジュールの受圧組み立て構造１００dにおける、構成部品の大部分は、第四実施例と相同である。よって、相同の部品には相同の符合を付す。第四実施例と第五実施例との差異は、受圧構造３bの受圧孔３３bは、受圧板３１bを貫通しており、これにより弾性部品３２bは、受圧構造３bの受圧孔３３b中に嵌設される点である。本第五実施例の組み立て方式と過程は、前記第四実施例と相同であるため、ここでは記述しないが、つまり、受圧孔３３bと施圧板５１aは相互に結合し、受圧板３１bの構成部品を省略することができる。
【００３０】
本発明第六実施例の分解図、及び立体図である図１１、及び図１２に示すように、本実施例の燃料電池モジュールの受圧組み立て構造１００eにおける、構成部品の大部分は、第一実施例と相同である。よって、相同の部品には相同の符合を付す。第一実施例と第六実施例との差異は、第二受圧端板４aの第二端板４０aの両側面上に、連接部４２１を形成する点である。連接部４２１は複数の凸柱とすることができ、その側縁は、陥没状或いはＬ字型状とし、これにより側板５２b、５３bの脱落を防止することができる。
【００３１】
図に示すように、施圧構造５bは、一対の側板５２b、５３bにより組成し、側板５２b、５３bの両端に近い位置には、第一端板２０の結合部２１と第二端板４０aの連接部４２１に対応する定位構造をそれぞれ設置する。本実施例では、側板５２b、５３bに位置する定位構造は、複数の定位構造５２１b、５３１bと連接孔５２７、５３６である。
【００３２】
前記構造の組み立ての過程においては、側板５２b、５３bの複数の連接孔５２７、５３６は、第二端板４０aの両側の連接部４２１にそれぞれ結合する。複数の連接部品６は、それぞれ側板５２b、５３bの複数の定位構造５２１b、５３１bをそれぞれ通過し、第一端板２０の結合部２１の孔２１１、２１２に対応して連結する。
【００３３】
燃料電池モジュール１、第一受圧端板２、第一電極集電板２６、受圧構造３、第二受圧端板４a、第二電極集電板４９、施圧構造５bは、ジグにより組み立て後、受圧構造３は、第一受圧端板２の第一端板２０と結合部２１との間に、挟まれ設置される。これにより、受圧構造３は、第一受圧端板２を経て、第二受圧端板４a方向への圧力を燃料電池モジュール１に加え、こうして各電池セル１３が必要とする接触圧力を提供することができる。受圧構造３は、第二受圧端板４aに結合する設計とすることもできる。また、図５に示すように、２枚の側板５２b、５３bの端部は、突っ張り板を突出する設計とすることもできる。２枚の側板５２b、５３bの端縁位置に、固定台と突っ張り板をそれぞれ結合し、定位構造をその上に設置する設計とすることもでき、これにより、連接部品が定位構造に穿通する深度を調整することで、各電池セル１３と２枚の端板２０、４０との間の接触圧力を調整することができる(図６参照)。さらに、２枚の側板５２b、５３bの定位構造５２１b、５３１bと結合部２１の孔２１１、２１２は、図８に示す係合構造とすることができる。すなわち、異なる応用のニーズに応じて、さまざまな変更或いは調整を行なうことができる。
【符号の説明】
【００３４】
１００、１００a、１００b、１００c、１００d、１００e  受圧組み立て構造
１  燃料電池モジュール
１１  第一電極側
１２  第二電極側
１３  電池セル
２  第一受圧端板
２０  第一端板
２１、２１a  結合部
２１１、２１２  孔
２１１a、２１２a  係合フック
２２  第一側面
２３  第二側面
２４a、２４b  冷却水進出口
２５a、２５b  水素ガス進出口
２６  第一電極集電板
２６１  突出端
３、３a、３b  受圧構造
３１、３１a、３１b  受圧板
３２  弾性部品
３３  受圧孔
４、４a  第二受圧端板
４０、４０a  第二端板
４１、４１a  第二端板面
４２、４２a  第一側面
４１１  定位槽
４２１  連接部
４３  第二側面
４４、４４a  第三側面
４５、４５a  第四側面
４６a、４６b  冷却水進出口
４７a、４７b  水素ガス進出口
４８a、４８b  空気進出口
４９、４９a  第二電極集電板
４９１、４９１a  突出端
５、５a、５b  施圧構造
５１、５１a、５１b  施圧板
５１１  定位槽
５２、５２a、５２b  側板
５２１、５２１a、５２１b  定位構造
５２２、５２２a、５２２b  中空区
５２３、５２３a、５２３b、５２４、５２４a、５２４b、５２５、５２５a、５２５b、５２６、５２６a、５２６b  導入孔
５２７  連接孔
５３、５３a、５３b  側板
５３１、５３１a、５３１b  定位構造
５３２、５３２a、５３２b、５３３、５３３a、５３３b、５３４、５３４a、５３４b、５３５、５３５a、５３５b  導入孔
５３６  連接孔
５４、５４a  開放端
５５、５６  突っ張り板
５７、５８  固定台
５７１、５８１  リブ
６、６a  連接部品
７、７a  定位柱
８、８a  保護蓋体
【図１】
2009200045.tif 000003
【図２】
2009200045.tif 000004
【図３】
2009200045.tif 000005
【図４】
2009200045.tif 000006
【図５】
2009200045.tif 000007
【図６】
2009200045.tif 000008
【図７】
2009200045.tif 000009
【図８】
2009200045.tif 000010
【図９】
2009200045.tif 000011
【図１０】
2009200045.tif 000012
【図１１】
2009200045.tif 000013
【図１２】
2009200045.tif 000014